(57)【特許請求の範囲】
【請求項１】
ディスクを載置し、回転駆動手段によって駆動されて該ディスクと一体的に回転するターンテーブルと前記ディスクのトラックを走査する光学式ピックアップとを有する再生ベースと、該再生ベースに回動自在に保持されて前記ディスクを前記ターンテーブルに押圧するクランパを保持するクランパアームとを有する再生ユニットが、水平方向へ回動可能に軸支され、所定の再生位置へ回動移動してディスクの再生を行なうディスク装置において、
前記再生ユニットが再生位置近傍を除くその移動領域を移動する間、前記クランパアームのディスク載置平面に対する回動角を規制するガイド手段と、
前記再生ユニットが前記再生位置近傍に移動したとき、前記クランパアームと係合して前記クランパアームの前記回動角を規制し、前記再生ユニットが前記再生位置に至った後、前記クランパアームを回動して前記クランパが前記ディスクを前記ターンテーブルに押圧するように付勢するクランプ制御手段と
を有し、前記ガイド手段と前記クランプ制御手段とがそれぞれ前記クランパアームの回動軸から所定距離離間した位置に配置されたことを特徴とするディスク装置。
【請求項２】
ディスクを載置し、回転駆動手段によって駆動されて該ディスクと一体的に回転するターンテーブルと前記ディスクのトラックを走査する光学式ピックアップとを有する再生ベースと、該再生ベースに回動自在に保持されて前記ディスクを前記ターンテーブルに押圧するクランパを保持するクランパアームとを有する再生ユニットが、水平方向へ回動可能に軸支され、所定の再生位置へ回動移動してディスクの再生を行なうディスク装置において、
ベースと、
振動緩衝手段を介して前記ベースに保持され、前記再生ユニットを軸支すると共に、前記再生ユニットが再生位置近傍を除くその移動領域を移動する間、前記クランパアームと係合して前記クランパアームの前記ターンテーブルのディスク載置平面に対する回動角を規制するガイド部を有するサブベースと、前記サブベースと係合して該サブベースを前記ベースに一体的に係止するため、前記ベースに移動可能に保持された振動緩衝係止部材と、
前記再生ユニットが前記再生位置近傍に移動したとき、前記クランパアームと係合して前記クランパアームの前記回動角を規制し、前記振動緩衝係止部材が前記サブベースとの係合を解除するのに連動して前記クランパアームを回動し、前記クランパが前記ディスクを前記ターンテーブルに押圧するように付勢するクランプ制御手段と
を有することを特徴とするディスク装置。
【請求項３】
前記クランプ制御手段は、
前記クランパアームと係合する係合部を有し、前記クランパアームを付勢すべく付勢された状態で前記サブベースに回動自在に保持されたクランプ制御部材と、
前記ベースに移動可能に保持され、前記係合部に当接して前記クランプ制御部材の回動を規制するカム部を有し、前記振動緩衝係止部材の移動に伴って所定方向に移動し、前記クランプ制御部材の回動を許容するクランプ駆動部材とからなることを特徴とする請求項２記載のディスク装置。
【発明の詳細な説明】
【０００１】
【発明の属する技術分野】
本発明は、ディスク装置に関し、特にディスクを再生、又はディスクに記録するためユニット（以後、再生時のみを想定して説明し、単に再生ユニットと称す）、即ちディスクを載置して回転駆動するターンテーブル、ディスクからデータを読み出す光学式ピックアップ、及びディスクをターンテーブルに押付けるクランパを含む再生ユニットが、ディスクを再生するための再生位置と、再生しないときの待機位置との間で移動するディスク装置に関する。
【０００２】
【従来の技術】
図１２及び図１３は、従来のディスク装置、例えば特許公報第２８７５０３２号に開示されたディスク装置１００の構成を示す斜視図であり、図１２は、スライドデッキ１０２が装置本体１０１から引き出された状態を示し、図１３は、スライドデッキ１０２が装置本体１０１内に収納された状態を示している。また図１４は、サブベース１０３の要部分解斜視図である。
【０００３】
図１２及び図１３に示すディスク装置１００において、機器本体１０１の天板からは、下方に突出するガイドピン１０１ａが配設され、サブベース１０３は振動緩衝手段によってスライドデッキ１０２に対して浮動状態となっている。ターンテーブル１０４は、サブベース１０３に設けられている。
【０００４】
クランパアーム１０５は、その一端でクランパ１０６を回動自在に保持し、他端が軸線１０７を中心として回動可能に、且つ軸線１０７の軸線方向にも摺動自在に、サブベース１０３に支持された支軸１０９（図１４）に保持されている。またこのクランパアーム１０５の縁部には、湾曲したガイド部１０５ａが形成されている。
【０００５】
図１４に示すように、引張りコイルバネ１０８は、クランパアーム１０５を矢印Ｒ方向に回動付勢するために、サブベース１０３に形成されたフック（図示せず）とクランパアーム１０５に形成されたフック（図示せず）間に張架されている。図１５は、クランパアーム１０５、サブベース１０３、及び振動緩衝係止部材１１１の取付け関係を示す部分構成図である。
【０００６】
同図に示す様に、圧縮コイルバネ１１０は、クランパアーム１０５を図面下方に付勢するため、軸線１０７方向に支軸１０９を摺動可能に支持するサブベース１０３の支持金具１０３ｂと、クランパアーム１０５の折り曲げ端部１０５ｃとの間に圧縮した状態で配設されている。振動緩衝係止部材１１１は、スライドデッキ１０２（図１２）上をＸ，Ｙ方向に摺動自在に保持され、クランプ制御部材１１１ａを所定位置に配設している。
【０００７】
以上の構成において、その動作について説明する。
図１２に示すように、ディスク１１２（外形のみ示す）がターンテーブル１０４に載置された状態で、スライドデッキ１０２を図中Ｙ方向に移動させる。この時クランパアーム１０５は、図中Ｒ方向に付勢されており、機器本体１０１の天板から下方に突出するガイドピン１０１ａと、クランパアーム１０５のガイド部１０５ａとが当接した状態が保たれる。従って、クランパアーム１０５は、スライドデッキ１０２の矢印Ｙ方向への移動に応じ、支軸１０９を回動中心として矢印Ｒ方向に回動する。そして相対的にターンテーブル１０４の上方に移動し、図１３に示す再生位置に至る。
【０００８】
尚、クランパアーム１０５は、ターンテーブル１０４の上方の所定の回動位置に至った段階で図示しないストッパ手段に当接し、それ以上の回動が規制される。
また、クランパアーム１０５の回動中、図１５に示すように、振動緩衝係止部材１１１に設置されたクランプ制御部材１１１ａが回動支軸１０９の下方にもぐり込み、回動支軸１０９を上方に押し上げて非クランプ状態を保つ。
【０００９】
スライドデッキ１０１が上記した図１３の再生位置に移動した後、振動緩衝係止部材１１１が更に矢印Ｙ方向に移動すると、これに固設されたクランプ制御部材１１１ａも同方向に移動するため、支軸１０９が下方に移動してクランパアーム１０５及びクランパ１０６が下がって、ディスク１１２をターンテーブル１０４（図１２）との間で押圧保持する。この後、再生手段（図示せず）によってディスク１１２を回転させ、再生動作を行なう。
【００１０】
【発明が解決しようとする課題】
上記した従来のディスク装置の構成では、クランパアーム１０５の回動中、下方に付勢された支軸１０９が、振動緩衝係止部材１１１に固設されたクランプ制御部材１１１ａの上面に圧接した状態で自転する。従って、この圧接部の摩擦により、クランパアーム１０５の回動が円滑に行なえない欠点があった。
【００１１】
また、クランパアーム１０５の先端で必要とするクランプ付勢力を、回動支軸１０９上において軸方向に加える力によって発生させる構成となっているため、クランプ動作の際に回動支軸１０９に加わるモーメントが過大となり、クランパの昇降動作が確実に行なえないという問題があった。
【００１２】
本発明の目的は、再生ユニットの移動中にクランパアームの保持を確実にし、且つクランプ動作を円滑、且つ確実に行なえるディスク装置を提供することである。
また、別の目的は、クランプを昇降させるクランプ制御手段を再生ユニットから分離して再生ユニットを小型化し、機器本体内での設置の設計自由度を広げ、スペースを有効利用することにより、外形寸法を小型化したディスク装置を提供することである。
【００１３】
更に別の目的は、再生ユニットの移動と、この再生ユニットを保持して、機器のベースに振動緩衝手段を介して保持されるサブベースを固定し或いは固定を解除する振動緩衝係止部材の駆動とを、同一の駆動源で行ない、駆動源を簡素化したディスク装置を提供することである。
【００１４】
【課題を解決するための手段】
本発明によるディスク装置は、ディスクを載置し、回転駆動手段によって駆動されて該ディスクと一体的に回転するターンテーブルと前記ディスクのトラックを走査する光学式ピックアップとを有する再生ベースと、該再生ベースに回動自在に保持されて前記ディスクを前記ターンテーブルに押圧するクランパを保持するクランパアームとを有する再生ユニットが、水平方向へ回動可能に軸支され、所定の再生位置へ回動移動してディスクの再生を行なうものであり、
前記再生ユニットが再生位置近傍を除くその移動領域を移動する間、前記クランパアームのディスク載置平面に対する回動角を規制するガイド手段と、前記再生ユニットが前記再生位置近傍に移動したとき、前記クランパアームと係合して前記クランパアームの前記回動角を規制し、前記再生ユニットが前記再生位置に至った後、前記クランパアームを回動して前記クランパが前記ディスクを前記ターンテーブルに押圧するように付勢するクランプ制御手段とを有し、前記ガイド手段と前記クランプ制御手段とがそれぞれ前記クランパアームの回動軸から所定距離離間した位置に配置されている。
【００１５】
本発明による別のディスク装置は、ディスクを載置し、回転駆動手段によって駆動されて該ディスクと一体的に回転するターンテーブルと前記ディスクのトラックを走査する光学式ピックアップとを有する再生ベースと、該再生ベースに回動自在に保持されて前記ディスクを前記ターンテーブルに押圧するクランパを保持するクランパアームとを有する再生ユニットが、水平方向へ回動可能に軸支され、所定の再生位置へ回動移動してディスクの再生を行なうものであり、
ベースと、振動緩衝手段を介して前記ベースに保持され、前記再生ユニットを移動自在に保持すると共に、前記再生ユニットが再生位置近傍を除くその移動領域を移動する間、前記クランパアームと係合して前記クランパアームの前記ターンテーブルのディスク載置平面に対する回動角を規制するガイド部を有するサブベースと、前記サブベースと係合して該サブベースを前記ベースに一体的に係止するため、前記ベースに移動可能に保持された振動緩衝係止部材と、前記再生ユニットが前記再生位置近傍に移動したとき、前記クランパアームと係合して前記クランパアームの前記回動角を規制し、前記振動緩衝係止部材が前記サブベースとの係合を解除するのに連動して前記クランパアームを回動し、前記クランパが前記ディスクを前記ターンテーブルに押圧するように付勢するクランプ制御手段とを有する。
このディスク装置では、前記クランプ制御手段を、前記クランパアームと係合する係合部を有し、前記クランパアームを付勢すべく付勢された状態で前記サブフレームに回動自在に保持されたクランプ制御部材と、前記ベースに移動可能に保持され、前記係合部に当接して前記クランプ制御部材の回動を規制するカム部を有し、前記振動緩衝係止部材の移動に伴って所定方向に移動し、前記クランプ制御部材の回動を許容するクランプ駆動部材とで構成してもよい。
【００１６】
参考例としての別のディスク装置は、ディスクを載置し、回転駆動手段によって駆動されて該ディスクと一体的に回転するターンテーブルと前記ディスクのトラックを走査する光学式ピックアップとを有する再生ベースと、該再生ベースに回動自在に保持されて前記ディスクを前記ターンテーブルに押圧するクランパを保持するクランパアームとを有する再生ユニットが、移動可能に保持され、所定の再生位置へ移動してディスクの再生を行なうものであり、ベースと、該ベースに回動自在に配置され、駆動手段によって回動駆動されるカムギアと、振動緩衝手段を介して前記ベースに保持され、前記再生ユニットを回動自在に保持するサブベースと、前記カムギアと前記再生ユニットとにそれぞれ係合し、前記カムギアの回動に伴って前記再生ユニットを回動すべく該再生ユニットの回動軸と同軸に回転自在に保持された回動制御部材と、前記ベースに移動可能に保持され、前記カムギアと係合して該カムギアの回動によって移動力を得、前記サブベースと係合して該サブベースを前記ベースに一体的に係止するための振動緩衝係止部材とを有し、前記カムギアを回動して、前記再生ユニットを再生位置に移動した後、更に前記カムギアを同方向に回動することにより、前記サブベースとの係合が解除される方向に前記振動緩衝係止部材を移動する。
【００１７】
【発明の実施の形態】
実施の形態１．
図１は、本発明の実施の形態１によるディスク装置６０の構成を示す分解斜視図であり、図２及び図３は、その要部斜視図である。
図１において、装置本体のベース１は、振動緩衝手段３０を介してサブベース２を浮動状態に保持する。ターンテーブル３はディスクを載置し、図示しないスピンドルモータによって載置したディスクと一体的に回転駆動される。クランパアーム４は、クランパ５を回転自在に保持している。
【００１８】
再生ベース９は、ターンテーブル３と前記ディスクのトラックを走査する光学式ピックアップ８を搭載し、更に、支軸９ｄをクランパアーム４の穴４ｄに挿入してこのクランパアーム４を図中の矢印Ｑ，Ｒ方向に回動自在に保持している。
【００１９】
クランパアーム４は、サブベース２に設けられたガイド部２ｄと係合する溝７ｄを有するガイド部材７を配設し、これらのガイド部２ｄ及びガイド部材７によるガイド手段によって、非クランプ時に、後述するようにターンテーブル３のディスク載置平面に対して所定の回動角を保ちつつ回動されるように構成されている。
更にクランパアーム４は、クランプ制御部材２０に植設されたピン２０ａと係合する切欠き４ａを有している。
【００２０】
再生ベース９には、サブベース２に設けられた穴２ｅ、及び回動制御部材２５に植設された円筒ブッシュ２５ａを挿通し、Ｅリング２６を挿嵌する回動支軸９ａが下方鉛直に植設されている。また、再生ベース９には、サブベース２に設けられた曲線状の長穴２ｆを挿通し、回動制御部材２５の溝２５ｂと係合することにより、再生ベース９の回動力を得る作用ピン９ｂが下方鉛直に植設されている。更に、再生ベース９には、サブベース２に設けられた曲線状の長穴２ｇに挿通される規制ピン９ｃが下方鉛直に植設されている。
これらのクランパアーム４、再生ベース９、及びそれらに付随する部品類をまとめて再生ユニット１０と称す。
【００２１】
反転バネ２７は、回動制御部材２５の垂下部２５ｄに係合するための円形部２７ｃとサブベース２の穴２ｈに係合するための屈曲部２７ａとを有し、後述するように、再生ユニット１０を待機時には図中矢印Ｍ方向に、また再生時には、矢印Ｌ方向に回動付勢している。
【００２２】
次に、クランプ制御手段を構成するクランプ制御部材２０とクランプ駆動部材２２との係合状態について説明する。クランプ制御部材２０には、サブベース２の垂下部に植設された円筒ブッシュ２ｊに挿通し、Ｅリング２３を挿嵌する軸２０ｂが植設されている。また、クランプ付勢バネ２１は、サブベース２の底面とクランプ制御部材２０の折曲げ部２０ｃにそれぞれ当接し、クランプ制御部材２０を図中の矢印Ｎ方向に回動付勢している。
【００２３】
クランプ駆動部材２２は、クランプ制御部材２０に植設されたピン２０ａに当接するカム部２２ａを有している。ガイドピン２２ｂは、サブベース２に設けられた長穴２ｋを挿通し、クランプ駆動部材２２をサブベース２に対して水平な矢印Ｖ，Ｗ方向に移動可能に配置する。また、引張りコイルバネ３５は、クランプ駆動部材２２を矢印Ｖ方向に付勢するため、クランプ駆動部材２２に設けられたフック２２ｃとサブベース２の下方鉛直に設けられたフック部２ｍとの間に張架されている。カム溝２２ｄは、振動緩衝係止部材６に上方鉛直に植設されたピン６ｄと係合し、クランプ駆動部材２２の移動動作を規制するべくその裏面に形成されている。
【００２４】
サブベース２には、ベース１の所定位置に配設された振動緩衝部材３０に挿入するためのピン２ｎが下方鉛直に植設されている。また、ピン２ｎと振動緩衝部材３０の間に圧縮コイルバネ３１を同軸に配置することにより、サブベース２上の部品類の全重量を無負荷状態で平衡位置に保持することが出来る。尚、前記ピン２ｎ、振動緩衝部材３０、及び圧縮コイルバネ３１の組合せは、任意個所設けてあり、サブベース２上の部品類の重心を考慮してバランス良く配置されている。
【００２５】
ディスク再生時以外は、図２に示すように、振動緩衝係止部材６に設けられ、Ｖ字型の切欠きを有するＶ字溝６ａ，６ｂ，及び６ｃが、サブベース２に設けられた同形状のＶ字溝２ａ，２ｂ，及び２ｃに各々係合し、サブベース２上の部品類の振動緩衝動作を係止している。
【００２６】
複数のギアの組み合わせからなる動力伝達手段５０は、モータ５２の回転力を最終的にカムギア５１に伝える。カムギア５１は、再生ユニット１０の回動制御部材２５に設けられたカム溝２５ｃに係合して再生ユニット１０を回動するピン５１ａを有し、ベース１に植設された支軸１ｃに挿入されて回動自在に保持されている。また、カムギア５１は、振動緩衝係止部材６に上方鉛直に植設されたピン６ｅと係合し、この振動緩衝係止部材６を、ベース１に対してＸ，Ｙ方向へ移動させるカム溝５１ｂを底面に形成している。
【００２７】
なお、振動緩衝係止部材６は、ベース１に上方鉛直に植設されたピン１ａに挿通される長穴６ｆを有し、更にベース１の折曲げ部１ｂに挿通されるタブ６ｇを有することにより、がたつくことなく、矢印Ｘ，Ｙ方向に移動できるように構成されている。
【００２８】
以上の構成において、その動作を図２乃至図１１を参照しながら説明する。
先ず、振動緩衝係止部材６の移動動作及び再生ユニット１０の回動動作について図２乃至図１１をもとに説明する。図４は、ディスク装置６０の待機状態を示す平面図であり、この時再生ユニット１０は、図２に示すように振動緩衝係止部材６に設けられたＶ字溝６ａ，６ｂ及び６ｃがサブベース２に設けられたＶ字溝２ａ，２ｂ，及び２ｃにそれぞれ係合することにより浮動が係止された状態となっている。
【００２９】
また、再生ユニット１０は、反転バネ２７により図中の矢印Ｍ方向に所定の力で付勢され、安定して保持されている。
尚、図４乃至図６では、再生ユニット１０、及びサブベース２は、回動動作に関係する要素を中心に部分的に描かれ、再生ユニット１０のクランパアーム４やターンテーブル３、及びサブベース２の半部は、煩雑を避けるために省かれている。
【００３０】
再生されるべく選択されたディスク７０が図示しないディスク搬送機構によって所定の再生位置まで搬送されるのと同時期に、モータ５２及び動力伝達手段５０によってカムギア５１を矢印Ｚ方向に回動する。これにより、カムギア５１のピン５１ａとカム溝２５ｃが係合する回動制御部材２５が矢印Ｌ方向に回動するため、これと係合する再生ユニット１０も回動支軸９ａを中心に矢印Ｌ方向に回動して図５に示す再生位置に移動する。
【００３１】
この時、反転バネ２７が再生ユニット１０を矢印Ｌ方向に付勢するため、再生ベース９の作用ピン９ｂ及び規制ピン９ｃが、各々サブベース２に形成された曲線状の長穴２ｆ及び２ｇの端部に圧接した状態となり、再生ユニット１０は、この再生位置で安定した状態を保つ。
尚、再生ユニット１０を、図４の待機位置から図５の再生位置まで回動するためのカムギア５１の回動範囲を第１の回動区間と称す。
【００３２】
また、振動緩衝係止部材６は、ピン６ｅがカムギア５１のカム溝５１ｂと係合しており、カムギア５１の回動によってその移動動作が決定されるが、前記したカムギア５１の第１の回動区間では、カム溝５１ｂがベース１に植設された支軸１ｃを中心に同心円上に形成されているために振動緩衝係止部材６は移動しない。従って、サブベース２は、第１の回動区間を再生ユニット１０が回動する間ベース１に固定された状態を保つ。
【００３３】
更に、カムギア５１が第１の区間に続けて矢印Ｚ方向に回動することにり、振動緩衝係止部材６に植設されたピン６ｅが徐々に径大となるカム溝５１ｂにより矢印Ｘ方向に移動する力を受け、振動緩衝係止部材６が同Ｘ方向に移動して図６に示す演奏位置に至る。
尚、カムギア５１の第１の回動区間に続いて、振動緩衝係止部材６を図６に示す演奏位置まで移動させるカムギア５１の回動範囲を第２の回動区間と称す。
【００３４】
振動緩衝係止部材６のこの移動に伴い、図３に示すように振動緩衝係止部材６に設けられ、Ｖ字型の切欠きを有するＶ字溝６ａ，６ｂ，及び６ｃが、サブベース２に設けられた同形状のＶ字溝２ａ，２ｂ，及び２ｃから各々離間する。また、カムギア５１に植設されたピン５１ａが、回動制御部材２５のカム溝２５ｃより離間することにより、回動制御部材２５は、カムギア５１から開放される。従って、サブベース２上の部品類の係止、及び係合がベース１から解除されて浮動状態となる。
【００３５】
次にクランパアーム４の動作について、図７乃至図１１を参照しながら説明する。
図７は、前記した図４と同様にディスク装置６０の待機状態を示す図であり、各部の動作位置は、図４に示す各部の動作位置と同じタイミングで示されている。
この時、クランパアーム４に配設されたガイド部材７の溝７ｄがサブベース２のガイド部２ｄと係合するため、クランパアーム４は、この待機状態においてターンテーブル３のディスク載置平面に対し図９に示す所定の回動角を有するクランプ解除位置に保持されている。クランプ駆動部材２２は、振動緩衝係止部材６に植設されたピン６ｄ（図７、図８、図１０には、ピン６ｄのみ示すが、図１及び図４を参照）がカム溝２２ｄと係合することにより、その移動動作が規制されている。
【００３６】
再生されるべく選択されたディスク７０が図示しないディスク搬送機構によって所定の再生位置まで搬送されるのと同時期に、モータ５２及び動力伝達手段５０によってカムギア５１を前記した第１の回動区間だけ矢印Ｚ方向に回動する。これにより、カムギア５１のピン５１ａとカム溝２５ｃが係合する回動制御部材２５が矢印Ｌ方向に回動するため、これと係合する再生ユニット１０も回動支軸９ａを中心に矢印Ｌ方向に回動して図８に示す再生位置に移動する。
尚、この図８は、前記した図５と同様に再生ユニット１０が再生位置に回動したときの図であり、各部の動作位置は、図５に示す各部の動作位置と同じタイミングで示されている。
【００３７】
再生ユニット１０の再生位置への回動中、後述する再生位置近傍を除いてガイド部材７とサブベース２の係合状態が保たれるため、クランパアーム４は、前記した所定のクランパ解除位置を保つ。
図９は、図８の矢印Ｓ方向からみた透視図である。図８及び図９に示すように、再生ユニット１０が同図に示す再生位置の近傍まで回動すると、ガイド部材７がサブベース２のガイド部２ｄに形成された凹部２ｐに至って、サブベース２の係合状態が解除されるが、この解除に先立って、クランパアーム４の切欠き４ａがクランプ制御部材２０のピン２０ａと係合するため、この再生位置においても引き続きクランパアーム４が、所定のクランパ解除位置を保つ。
【００３８】
このとき、クランプ制御部材２０は、クランプ付勢バネ２１（図１）により図９に示す矢印Ｎ方向に付勢されているが、クランパアーム４の切欠き４ａに係合するピン２０ａが、同時にクランプ駆動部材２２のカム部２２ａに当接して図９の状態が保たれている。一方、このクランプ駆動部材２２は、振動緩衝係止部材６に植設されたピン６ｄによりその移動動作が規制されるため、クランパアーム４は、安定して保持される。
【００３９】
更に、カムギア５１が第１の回動区間に続いて、第２の回動区間を矢印Ｚ方向に回動すると、図６で説明したように振動緩衝係止部材６が矢印Ｘ方向に移動し、ピン６ｄも同様に矢印Ｘ方向に移動する。ピン６ｄの同方向への移動に伴って、クランプ駆動部材２２は引張りコイルバネ３５による付勢もあって矢印Ｖ方向に移動し図１０に示す演奏位置に至る。
尚、この図１０は、前記した図６と同様に振動緩衝係止部材６が演奏位置に至ったときの図であり、各部の動作位置は、図６に示す各部の動作位置と同じタイミングで示されている。
【００４０】
図１１は、図１０の矢印Ｓ方向からみた透視図である。図１０及び図１１に示すように、クランプ駆動部材２２が矢印Ｖ方向に移動すると、クランプ制御部材２０は、ピン２０ａがクランプ付勢バネ２１の付勢によりクランプ駆動部材２２のカム部２２ａの斜面に沿って移動するため、支軸２０ｂを中心に矢印Ｎ方向に回動する。これにより、クランプ制御部材２０のピン２０ａに係合しているクランパアーム４の溝４ａが下方に押し下げられ、結果としてクランパアーム４が支軸９ｄを中心に矢印Ｑ方向に回動し、クランパ５がディスク７０を所定の力でターンテーブル３に押圧し、これを保持する。
【００４１】
その後、スピンドルモータ（図示せず）によりターンテーブルが回転し、光学式ピックアップ８により、ディスク７０の情報が読み取られ、再生が開始される。
尚、ディスクの排出動作では、上記説明の逆の動作を行うので説明を省略する。
【００４２】
【発明の効果】
本発明によれば、クランパアームの前記ターンテーブルのディスク載置平面に対する回動角を規制するガイド手段と、クランパが前記ディスクを前記ターンテーブルに押圧するように付勢するクランプ制御手段とを有するため、再生ユニットの回動中にクランパアームが付勢力を受けることがなく、安定した回動が実現できる。
【００４３】
また、ガイド手段とクランプ制御手段とが、前記クランパアームの回動軸から所定距離離間した位置に配置されるため、クランプ制御手段がクランパアームを付勢する際にモーメント負荷が過大になることながく、クランパの昇降を円滑に行うことが出来る。
【００４４】
また、クランプ制御手段を再生ユニットから分離して配設したため、再生ユニットを小型化し、装置本体内での設置の設計自由度を広げ、スペースを有効利用することにより、外形寸法を小型化したディスク装置を提供できる。
【００４５】
更に、再生ユニットの移動と、振動緩衝係止部材の駆動とを、同一の駆動源で行なうため、駆動源を簡素化したディスク装置を提供することができる。
【図面の簡単な説明】
【図１】  本発明の実施の形態１によるディスク装置の構成を示す分解斜視図である。
【図２】  実施の形態１によるディスク装置の要部斜視図である。
【図３】  実施の形態１によるディスク装置の要部斜視図である。
【図４】  実施の形態１によるディスク装置の待機状態を示す平面図である。
【図５】  実施の形態１によるディスク装置の再生ユニットが再生位置に移動した状態を示す平面図である。
【図６】  実施の形態１によるディスク装置の振動緩衝係止部材が演奏位置に移動した状態を示す平面図である。
【図７】  実施の形態１によるディスク装置の再生ユニットが待機位置にあるときの状態を示す平面図である。
【図８】  実施の形態１によるディスク装置の再生ユニットが再生位置に移動した状態を示す平面図である。
【図９】  図８のディスク装置を矢印Ｓ方向からみた透視図である。
【図１０】  実施の形態１によるディスク装置のクランプ駆動部材が演奏位置に移動した時の状態を示す平面図である。
【図１１】  図１０のディスク装置を矢印Ｓ方向からみた透視図である。
【図１２】  従来のディスク装置の斜視図で、スライドデッキが本体装置から引出された状態を示す。
【図１３】  従来のディスク装置の斜視図で、スライドデッキが本体装置に収納された状態を示す。
【図１４】  サブベースの要部分解斜視図である。
【図１５】  クランパアーム１０５、サブベース１０３、及び振動緩衝係止部材１１１の取付け関係を示す部分構成図である。
【符号の説明】
１  ベース、  １ａ  ピン、  １ｂ  折曲げ部、  １ｃ  支軸、  ２  サブベース、  ２ａ  V字溝、  ２ｂ  V字溝、  ２ｃ  V字溝、  ２ｄ  ガイド部、  ２ｅ  穴、  ２ｆ  長穴、  ２ｇ  長穴、  ２ｈ  穴、  ２ｊ  円筒ブッシュ、２ｋ  長穴、  ２ｍ  フック部、  ２ｎ  ピン、  ３  ターンテーブル、  ４クランパアーム、  ４ａ  切欠き、  ４ｄ  穴、  ５  クランパ、  ６  振動緩衝係止部材、  ６ａ  Ｖ字溝、  ６ｂ  Ｖ字溝、  ６ｃ  Ｖ字溝、  ６ｄ  ピン、  ６ｅ  ピン、  ６ｆ  長穴、  ６ｇ  タブ、  ７  ガイド部材、  ７ｄ  溝、  ８  光学式ピックアップ、  ９  再生ベース、  ９ａ  回動支軸、  ９ｂ作用ピン、  ９ｃ  規制ピン、  ９ｄ  支軸、  １０  再生ユニット、  ２０クランプ制御部材、  ２０ａ  ピン、  ２０ｂ  支軸、  ２０ｃ  折曲げ部、２１  クランプ付勢バネ、  ２２  クランプ駆動部材、  ２２ａ  カム部、  ２２b  ガイドピン、  ２２c  フック、  ２２ｄ  カム溝、  ２５  回動制御部材、  ２５ａ  円筒ブッシュ、  ２５ｃ  カム溝、  ２５ｄ  垂下部、  ２６  Ｅリング、  ２７  反転バネ、  ２７ｃ  円形部、  ３０  振動緩衝手段、  ３５  引張りコイルバネ、  ５０  動力伝達手段、  ５１  カムギア、  ５１ａ  ピン、  ５１ｂ  カム溝、  ５２  モータ、  ６０  ディスク装置、  ７０  ディスク。
【図１】
0003813048.tif 000002
【図２】
0003813048.tif 000003
【図３】
0003813048.tif 000004
【図４】
0003813048.tif 000005
【図５】
0003813048.tif 000006
【図６】
0003813048.tif 000007
【図７】
0003813048.tif 000008
【図８】
0003813048.tif 000009
【図９】
0003813048.tif 000010
【図１０】
0003813048.tif 000011
【図１１】
0003813048.tif 000012
【図１２】
0003813048.tif 000013
【図１３】
0003813048.tif 000014
【図１４】
0003813048.tif 000015
【図１５】
0003813048.tif 000016